(57)【特許請求の範囲】
【請求項１】
断面Ｕ形に成形されたコンクリートブロックの対向側壁の両端の上下方向に杆状木材挿通孔を多段に対設し、両側壁と底版の何れか一方または双方に複数の開口を有し、それら杆状木材挿通孔に挿着された杆状木材と前記対向側壁間に石材を装填するようにしたことを特徴とする水路式木工沈床ブロック。
【請求項２】
断面Ｕ形に成形されたコンクリートブロックの頂部両側と底部両側の何れか一方または双方に突条部を対設したことを特徴とした請求項１に記載の水路式木工沈床ブロック。
【請求項３】
断面Ｕ形に成形されたコンクリートブロックの底面外側に複数個の脚部を突設したことを特徴とした請求項１、２の何れか１つに記載の水路式木工沈床ブロック。
【請求項４】
断面Ｕ形に成形されたコンクリートブロック内に側壁と頂版の何れか一方または双方に開口部を配設した杆状木材間より短かい逆Ｕ形または逆Ｌ形の小型コンクリートブロックをセットして魚巣を形成したことを特徴とする請求項１〜３の何れか１つに記載の水路式木工沈床ブロック。
【請求項５】
断面Ｕ形に成形されたコンクリートブロック内に円形あるいは角形の筒状コンクリートブロックを天端と同一または多少高めに設定して客土をして水際の樹木を植生できるように形成したことを特徴とした請求項１〜４の何れか１つに記載の水路式木工沈床ブロック。
【請求項６】
断面Ｕ形に成形されたコンクリートブロックの天端上面に表面に天然石材あるいは擬石等による化粧を施したコンクリート板あるいは複数の飛石を設けたコンクリート板を取り付けられるように形成したことを特徴とする請求項１〜４の何れか１つに記載の水路式木工沈床ブロック。
【請求項７】
請求項１〜６の何れか１つに記載の水路式木工沈床ブロックの底版のコーナー部の対向側面あるいは４辺の中央寄りに夫々凹部を形成し連繋部材を固着し、杆状木材挿通孔に杆状木材を挿着した該ブロックを敷き並べ連繋部において相互に連繋し、前記杆状木材挿通孔に挿着された杆状木材と上記対向側壁との間に夫々石材を装填して河床面の根固め工および水制工として形成したことを特徴とする木工沈床工。
【発明の詳細な説明】
【０００１】
本発明は水路式木工沈床ブロックおよび木工沈床ブロック工の創案に係り、河川などの水路において洗掘などを有効に防止すると共に魚類その他の水中生物や水鳥の休息、餌場、退避個所として適切に機能し、また河川水の浄化に寄与することのできる木工沈床ブロックおよび該沈床ブロック工を提供しようとするものである。
【０００２】
【従来の技術】
河川において、その水底における洗掘を防止し、またそれによって護岸目的をも達するために木工沈床を設けることについては従来からそれなりに検討が重ねられ、また実用化されている。また、このような木工沈床の具体例としては特開平５−２７２１１８号、実開平６−１４２２４号の如きが発表されている。
【０００３】
即ち、これら従来の提案によるものは、コンクリート基礎の上面において相対する２辺に横木杆を載置し、残る２辺に対しては縦木杆を載置する如く順次に交叉重合したものの交点部分に連結ボルトを挿入して連結し、このような木工枠状体内に石材を装填したもので、特開平５−２７２１１８号のものでは上記のように枠状体とされたものの中間部にも木杆を配置して固定するものである。
【０００４】
【発明が解決しようとする課題】
上記したような従来技術によるものでは資源に乏しい木材を多量に使用すると共に木工枠状体を単にボルト等で連結しただけなので河川の水流により変形、破損しやすい危険があり、本案の目的である根固工などや装填された石材間においての礫間接触酸化による水の浄化作用も安定に達成できない不利がある。
【０００５】
【課題を解決するための手段】
本発明は上記したような従来技術における課題を解消することについて検討を重ねた結果、特定の断面Ｕ形コンクリートブロックと木材杆および石材とを適切な関係に組みつけることにより河川床に対する安定な設定と、沈床工自体の安定化および水中生物との間における有効な融和を図り、更には施工性を改善することに成功したものであって、以下の如くである。
【０００６】
▲１▼  断面Ｕ形に成形されたコンクリートブロックの対向側壁の両端の上下方向に杆状木材挿通孔を多段に対設し、両側壁と底版の何れか一方または双方に複数の開口を有し、それら杆状木材挿通孔に挿着された杆状木材と前記対向側壁間に石材を装填するようにしたことを特徴とする水路式木工沈床ブロック。
【０００７】
▲２▼  断面Ｕ形に成形されたコンクリートブロックの頂部両側と底部両側の何れか一方または双方に突条部を対設したことを特徴とした前記▲１▼に記載の水路式木工沈床ブロック。
【０００８】
▲３▼  断面Ｕ形に成形されたコンクリートブロックの底面外側に複数個の脚部を突設したことを特徴とした前記▲１▼または▲２▼の何れか１つに記載の水路式木工沈床ブロック。
【０００９】
▲４▼  断面Ｕ形に成形されたコンクリートブロック内に側壁と頂版の何れか一方または双方に開口部を配設した杆状木材間より短かい逆Ｕ形または逆Ｌ形の小型コンクリートブロックをセットして魚巣を形成したことを特徴とする前記▲１▼〜▲３▼の何れか１つに記載の水路式木工沈床ブロック。
【００１０】
▲５▼  断面Ｕ形に成形されたコンクリートブロック内に円形あるいは角形の筒状コンクリートブロックを天端と同一または多少高めに設定して客土をして水際の樹木を植生できるように形成したことを特徴とした前記▲１▼〜▲４▼の何れか１つに記載の水路式木工沈床ブロック。
【００１１】
▲６▼  断面Ｕ形に成形されたコンクリートブロックの天端上面に表面に天然石材あるいは擬石等による化粧を施したコンクリート板あるいは複数の飛石を設けたコンクリート板を取り付けられるように形成したことを特徴とする前記▲１▼〜▲４▼の何れか１つに記載の水路式木工沈床ブロック。
【００１２】
▲７▼  前記▲１▼〜▲６▼の何れか１つに記載の水路式木工沈床ブロックの底版のコーナー部の対向側面あるいは４辺の中央寄りに夫々凹部を形成し連繋部材を固着し、杆状木材挿通孔に杆状木材を挿着した該ブロックを敷き並べ連繋部において相互に連繋し、前記杆状木材挿通孔に挿着された杆状木材と上記対向側壁との間に夫々石材を装填して河床面の根固め工および水制工として形成したことを特徴とする木工沈床工。
【００１３】
【作用】
断面Ｕ形に成形されたコンクリートブロックを用いることによって該ブロックの対設された側壁をも利用した取扱いおよび施工性の良好なブロック単位体を適切に形成せしめ、斯かる断面Ｕ形に成形されたコンクリートブロックの対向側壁の両端の上下方向に杆状木材挿通孔を多段に対設し、両側壁と底版の何れか一方または双方に複数の開口を有し、それら杆状木材挿通孔に挿着された杆状木材と前記対向側壁間に石材を装填するようにしたことによって杆状木材を単に挿入設定するだけで玉石その他の石材を装填し簡易に沈床工単位体を形成し、その施工性を良好とする。また使用する木材は４面のうち２面のみで良いことから従来の木工沈床ブロックに較べ木材の使用量は２分の１以下で済み経済的であると共に、資源のムダ使いを解消する一助ともなる。
【００１４】
断面Ｕ形に成形されたコンクリートブロックの頂部両側と底部両側の何れか一方又は双方に突条部を対設することで敷き並べた時にブロック間に通路を形成することができ、魚等の水中生物にブロック間の往来場や避難場を提供する。
【００１５】
断面Ｕ形に成形されたコンクリートブロックの底面外側に複数個の脚部を突設したことによって該コンクリートブロックを河川床などに安定且つ的確に設定せしめ、また有効な洗掘防止で河川床の安定化をもたらしめる。
【００１６】
断面Ｕ形に成形されたコンクリートブロック内に側壁と頂版の何れか一方または双方に開口部を配設した杆状木材間より短かい逆Ｕ形または逆Ｌ形の小型コンクリートブロックをセットすることで、大型の水中生物に住み処や避難場所を提供する。
【００１７】
断面Ｕ形に成形されたコンクリートブロック内に円形あるいは角形の筒状のコンクリートブロックをブロックの天端と同一あるいは多少高めに設け、内部に客土して、柳、葦などの水際の植物樹木を植生することで、深島的風情を呈し、魚介類に日影や水鳥に休息場を提供し、河川全体に自然の風景を醸し出す。
【００１８】
断面Ｕ形に成形されたコンクリートブロックの天端上面に表面に鉄平石等の天然石材を埋設したり、擬石等を形成したり、着色したりして化粧されたコンクリート平板を取付け水平面上に出る様に形成したり、複数の飛石を設けたコンクリート板を取付け飛石の上部が水面に出るように形成したブロックを岸辺に接続して配管することで釣り人や水辺に親しむ人々に好ましい水辺環境を提供する。
【００１９】
水路式木工沈床ブロックの底版のコーナー部の対向側面あるいは４辺の中央寄りに夫々凹部を形成し連繋部材を固着し、杆状木材挿通孔に杆状木材を挿着した該ブロックを敷き並べ連繋部において相互に連繋し、前記杆状木材挿通孔に挿着された杆状木材と対向側壁との間に夫々石材を装填して河床面の根固め工および水剤工として使用する場合には、石材の空隙部が魚介類や甲殻類の生息場となり、表面に付着藻類や水草が生育して餌場、産卵場所を提供し、石材間の通水による石材間接触酸化法で水の浄化が計られる。またＵ形ブロック同士の連結であるため水害等による変形がなく河川の洗掘等を防止し、長期に亘って安定した水辺環境を形成する。
【００２０】
【実施例】
上記したような本発明によるものの具体的な実施態様を添附図面に示すものについて説明すると、図１には本発明による水路式木工沈床ブロックの代表的な１例が示されており、断面Ｕ形に成形されたブロック１はその両側壁端部において丸太などの杆状木材を挿通設定するための複数の挿通孔１１を形成すると共に中間部および底面には適宜に別の開口１２，１２ａが設けられていてブロック１の内外間における通水を図るように成っている。
【００２１】
然して本発明においては、上記のような沈床ブロック１の底部両外側にそれぞれ突条部１３を対設し、このような突条部１３の端部に連繋部４を形成して、沈床ブロック１相互の連結を図るが、このような連繋部４は図１に示したように突条部１３の両端部に設けることに代え、別に図２に示すように突条部１３の中間部や沈床ブロック２の端部に適宜凹部１４を形成して連繋部４を形成することができる。
【００２２】
上記したような突条部１３および１６は河川床に設定した場合のブロック１および２の安定化を図ると共にブロック間に大きな隙間を形成し、魚などの水中生物の通路および大型魚の住み処、避難場所となる。また図２に示す如くブロック２の底面には適宜に脚部１５を突設して同様にブロック２の設定を安定化する。更にブロック２の両側壁頂部外側にも厚肉の突条部１６を対設して該部分の強固化を図ることができる。この突条部１３および１６はブロックの大きさ、使用箇所によって設けなかったり、何れか一方または双方に設けることができることは云うまでもないことである。
【００２３】
前記したような挿通孔１１，開口１２，１２ａおよび脚部１５などの仔細については別に図１のブロック１の側壁の開口１２で３個にして底版に脚部１５を設けたブロック１ａの詳細が図３〜図７に示されている。即ちＵ型ブロック１ａの両側壁がその内面においてテーパ状とされていることは図４，図５に示す如くであるが、上記挿通孔１１および開口１２においても何れも図５〜図７に示すところから理解されるように外面側を拡大状とされたテーパ状とされている。また脚部１５は外端側を縮小状としたテーパ状となっていることは図６，７の如くでＵ型ブロック１ａの底面に形成された開口１２ａにおいては外面側が縮小状とされたテーパ状とされている。
【００２４】
挿通孔１１および開口１２と脚部１５は外型に形成された成形部で形成され、また開口１２ａは内型に形成された成形部によって形成されるものであるが、このようにテーパ状とされて挿通孔１１は図９や図１９などに示すような丸太の如き杆状木材５を挿入設定するに好ましく、開口１２，１２ａは外部からの通水に好ましい形態をなし、脚部１５は河川床に係止設定するのに適切な形態をなしている。
【００２５】
上記した図３〜図７に示す如きコンクリートブロック１ａを用いて形成される木工沈床ブロックによる水路の状態は図８，図９に示す如くで、またその各ブロック間の連繋状態は図１０と図１１に示されている。即ち杆状木材５を挿入設定された各ブロック１ａ，１ａ……を図８，９に示すように突条部１３を接合させた状態で河川床面に設定し、対向した連繋部４，４間に図１１に示されるようなシャックル等のＵ形クレビスなどの連繋材７を取付けることで迅速な連繋関係を形成することができる。アンカー的にブロック１に対し図１１のように取付けられた連繋部４は強固であって充分な連結強度を得ることができる。この連繋材としては、Ｕ形部材の端部に貫通孔や螺旋孔を設けてボルト７ａが挿通固定され、該ボルト７ａの装脱によってブロック相互の連結を容易に実施することができる。
【００２６】
図１２と図１３には上記したような水路式木工沈床ブロックに併用される逆Ｕ型の小型ブロック３，３ａが夫々示されており、図１４，１５にはブロック１ａの側壁の開口１２を２個としたブロック１ｂ内にセットした状態が示されている。即ち小型ブロック３はその側壁部に開口部２１を形成し、また小型ブロック３ａはその底面にも適宜に開口部２２を形成してこれらの各図に示されるように反転した倒Ｕ字状態でセットされることは図１４や図１６に示す如くであり、取付けにはブロック１ｂの底版および小型ブロック３，３ａの側壁に埋設されたインサート筋３０に補助金具２３の如きを用いてボルト３０ａで強固に固定され、斯うしたブロック３，３ａのセット状態でＵ型ブロック１ｂ内に図１６として示すように石材６が装填される。
【００２７】
つまり図１６に明かとされているように小型ブロック３，３ａは空洞状となり、その両端部と共に開口部２１，２２において石材間の間隙に開放され、上記空洞状部分に通水連通されることにより該空洞状部分が魚類などの水中生物に対し好ましい棲息域を提供する。魚類等の水中生物は石材間の間隙を介し適宜に空洞状部分に出入することができ、大型魚には住み処と避難場を提供する。
【００２８】
図１７には本発明におけるもう１つの小型ブロックとして断面逆Ｌ形のブロック３が示され、各側辺に開口部３２が形成されることは図示の如くで、取付のためのインサート筋３０において前記した図１５のような補助金具２３を用い、図１８に示すようにブロック２のコーナ部の如きに取付けられる。図１９にその使用状況図が示されており、図１６同様該空洞部分は更に大型魚の生育に適した空間を提供する。
【００２９】
図２０〜２３には円形または角形の筒状のコンクリートブロックが示されており、客土の水中での通気、通水のための小口径の貫通穴２６を筒形ブロック２４，２５に形成し、ブロック全体をポーラスコンクリート２７としてその機能をもたせたものが筒形ブロック２４ａ，２５ａであって、図２４に図示するようにＵ型ブロック１ａ内の任意の位置に単に置いて設置するが、図１５に示すように補助金具を用いて取付けられる。
【００３０】
図２５に小型ブロック３，３ａと併用して使用された使用状況断面図が示されており、筒形ブロックは水面状に多少突出して使用されていて、その空洞部に現場発生土あるいは客土を施し、柳、あし等の水際の植物あるいは樹木を植生することで深島的景観を呈し、魚類には日影を、鳥類には休み場、餌場等を提供し、河川全体がより自然に近い風情を醸し出すことができる。
【００３１】
図２６以下には本発明によるものが河川に対し突堤状に構成されるような場合における好ましい構成関係が示されている。即ち図２６には踏板状に形成された板状ブロック９の表面には鉄平石または鉄平石様擬岩４０がセットされていて適当な滑り止め作用を得しめるように成っており、また図２７は板状ブロック９ａの表面に飛石状に突部４１が配設されている。これら擬岩、飛石の表面に着色を施してより自然に近いブロックを形成できる。
【００３２】
これらの板状ブロック９，９ａを用いて形成される突堤状木工沈床は図２８と図２９および図３０に示す如くで、河川の岸部２０より図２８と共に図２９で明かとされているように突堤状に河川の流れ方向を横断する如く、上述したようなブロック１を用いた沈床工が列設され、河川の水面上に夫々前記板状ブロック９が取付けられる。即ちこのようにすることによって釣人などが自在に河川流の中間部まで到達し、安全に釣魚することができる。単にブロック２を列設し、石材６を装填するだけであって、杆状木材５に石材６の充填範囲が限定されていることから余分な石材などを必要とせずにしかも突堤の上流側および下流側に澱み部を形成した構造部を合理的に的確な施工をなすことができる。
【００３３】
なお河川の岸部においては図３０に示すように階段状ブロック３５を採用することによって上記のような突堤状木工流床上へ自在に進入することができると共に、板状ブロック９ａを用いることで水面に飛石が見え隠れし、より自然に近い風情で同様の効果が得られる。また板状ブロック９の取付けは図３１に１例として示すような固定部３９によって的確に実施できることは明かである。
【００３４】
【発明の効果】
以上説明したような本発明によるときはＵ型断面ブロックをベースとして杆状木材を単に挿着するだけで石材を有効且つ安定に収容設定することのできる沈床工を容易且つ的確に形成することができ、それによって河川などの洗掘を防止すると共に魚類その他の水中生物の休息、避難個所、水鳥に休み場、餌場などに機能し、更には水流浄化に寄与するなどの効果を有しており、工業的にその効果の大きい発明である。
【図面の簡単な説明】
【図１】本発明の木工沈床コンクリートブロックの１つの構成を示した斜面図である。
【図２】本発明による木工沈床コンクリートブロックのもう１つの構成を示した斜面図である。
【図３】本発明コンクリートブロックの基本的な構成についての平面図である。
【図４】図３に示したものの正面図である。
【図５】図３におけるＶ−Ｖ線の横断面図である。
【図６】図３〜５に示したものの側面図である。
【図７】図３における  ＶＩＩ−ＶＩＩ  線の縦断面図である。
【図８】本発明による木工沈床ブロック水路の横断面図である。
【図９】その一部についての平面図である。
【図１０】その各沈床ブロック間における連繋部の拡大平面図である。
【図１１】図１０に示した連繋部についての部分的な断面図である。
【図１２】本発明において用いる小型のコンクリートブロックについての１例を示した斜面図である。
【図１３】その別の例を示した斜面図である。
【図１４】本発明による沈床ブロックの組合わせ構成状態を示した斜面図である。
【図１５】図１４に示したものの小型ブロック取付部分の拡大断面図である。
【図１６】ブロック内への石材の装填状況を示した断面図である。
【図１７】本発明において用いるＬ型ブロック片の斜面図である。
【図１８】図１７に示したものを沈床ブロック本体に取付けた状態の斜面図である。
【図１９】本発明によって構成された沈床ブロック水路の１例を示した横断面図である。
【図２０】小口径の貫通穴を形成した円形の筒状コンクリートブロックの斜視図である。
【図２１】ポーラスコンクリートで形成した円形の筒状コンクリートブロックの斜視図である。
【図２２】小口径の貫通穴を形成した角形の筒状コンクリートブロックの斜視図である。
【図２３】ポーラスコンクリートで形成した角形の筒状コンクリートブロックの斜視図である。
【図２４】筒状コンクリートブロックを本発明の木工沈床コンクリートブロックに適用した１例を示す斜視図である。
【図２５】筒状コンクリートブロックを適用して構成された本発明の沈床ブロックの１例を示した横断面図である。
【図２６】本発明において併用するブロック板の斜面図である。
【図２７】本発明において併用するもう１つのブロック板の斜面図である。
【図２８】本発明による沈床工が河川に対し突堤状に設けられた施工例の断面図である。
【図２９】図２８に示した施工状態の平面図である。
【図３０】図２７に示したブロック板を用いた施工例の図２９と同様な断面図である。
【図３１】ブロック板の取付状態を示した部分的断面図である。
【符号の説明】
１  沈床ブロック
１ａ  脚部を設けた沈床ブロック
１ｂ  脚部を設け側壁部開口を２個とした沈床ブロック
２  側壁頂部外側に突状部を設けた沈床ブロック
３  小型のＵ型ブロック
３ａ  底面にも開口部を形成した小型のＵ型ブロック
３ｂ  小型のＬ型ブロック
４  連繋部
５  杆状木材
６  石材
７  連繋材
８  ブロック板
９  踏板状の板状ブロック
９ａ  飛石を形成した板状ブロック
１０  河川床
１１  杆状木材挿通孔
１２  開口
１３  突条部
１４  凹部
１５  脚部
１６  厚肉の突条部
２０  河川の岸部
２１  開口部（角形）
２２  開口部（円形）
２３  補助金具
３０  インサート筋
３０ａ  ボルト
３２  開口部
３５  階段状ブロック
３９  固定部材
４０  鉄平石または鉄平石様擬岩
【図１】
0003582024.tif 000002
【図２】
0003582024.tif 000003
【図３】
0003582024.tif 000004
【図４】
0003582024.tif 000005
【図５】
0003582024.tif 000006
【図６】
0003582024.tif 000007
【図７】
0003582024.tif 000008
【図８】
0003582024.tif 000009
【図９】
0003582024.tif 000010
【図１０】
0003582024.tif 000011
【図１１】
0003582024.tif 000012
【図１２】
0003582024.tif 000013
【図１３】
0003582024.tif 000014
【図１４】
0003582024.tif 000015
【図１５】
0003582024.tif 000016
【図１６】
0003582024.tif 000017
【図１７】
0003582024.tif 000018
【図１８】
0003582024.tif 000019
【図１９】
0003582024.tif 000020
【図２０】
0003582024.tif 000021
【図２１】
0003582024.tif 000022
【図２２】
0003582024.tif 000023
【図２３】
0003582024.tif 000024
【図２４】
0003582024.tif 000025
【図２５】
0003582024.tif 000026
【図２６】
0003582024.tif 000027
【図２７】
0003582024.tif 000028
【図２８】
0003582024.tif 000029
【図２９】
0003582024.tif 000030
【図３０】
0003582024.tif 000031
【図３１】
0003582024.tif 000032